(57)【要約】    【課題】  空間を有効に利用して限られた外形サイズの中で十分な冷却性能が得られる冷却モジュールおよび放熱フィンの積層構造を提供する。    【解決手段】  ファンモータ２の送風側に放熱部５を備えた吹出し部３を設けるとともに、放熱部５は複数の放熱フィン11を積層配置して形成され、少なくとも吹出し部３の一部においてファンモータ２を中心とした放射状に放熱フィン11を配置した。ファンモータ２からの風が滞りなくスムーズに流れることで、限られた外形サイズの中で十分な冷却性能が得られ、ファンモータからの風による騒音を低減することができる。【選択図】  図１
2005051127.tif 000002
【特許請求の範囲】
【請求項１】
ファンを備え、吹出し部を設けるとともに、放熱部はフィンを配置して形成され、少なくとも前記吹出し部の一部において放射状に前記フィンを配置したことを特徴とする冷却モジュール。
【請求項２】
ファンを備え、吹出し部を設けるとともに、放熱部はフィンを配置して形成され、前記フィンの少なくとも一部を曲部に形成したことを特徴とする冷却モジュール。
【請求項３】
放熱体が積層配置して形成され、前記放熱体は本体部と、この本体部に接続して形成された辺部とを備え、係合可能な係合手段を前記本体部に設け、ガイド手段を前記辺部に設けたことを特徴とする放熱体の積層構造。
【発明の詳細な説明】
【技術分野】
【０００１】
本発明は、例えばパソコン（パーソナルコンピュータ）内に実装するマイクロプロセッサユニットなどを冷却するのに好適なファンを備えた冷却モジュールおよびこの冷却モジュールに設けられる放熱体の積層構造に関する。
【背景技術】
【０００２】
従来、ノート型パソコン等の薄型電子機器に搭載されるＭＰＵ（マイクロプロセッサユニット）は消費電力が大きいため発熱量が大きく、その冷却には放熱フィンとファンモータを備えた冷却モジュール（例えば、特許文献１参照）が不可欠となっている。そして、近年、ＭＰＵの高性能化に伴う発熱量の増大により、より高性能な冷却性能が求められている。
【０００３】
図１２、図１３〜図１５に、それぞれ冷却モジュールの従来例を示す。図１２から順に説明すると、１はフレームで、このフレーム１は送風手段であるファンモータ２の外周を囲うように略四角形に形成されてファンモータ２を保持するとともに、フレーム１の略直交する二方向に連通して２つの吹出し部３，４が形成される。また、吹出し部３，４には、ファンモータ２からの空気の流れを極力妨げない方向に、複数の放熱フィンからなる放熱部５，６がそれぞれ設けられている。また、ノートパソコンのＭＰＵなどの発熱体（図示せず）に密着して受熱部７が取り付けられ、この受熱部７と放熱部５，６との間には、伝熱部材としてのヒートパイプ８が配設される。このヒートパイプ８は、熱伝導性に優れた銅などの管体内部に微小量の作動液を注入し、この作動液を管体内部で還流させるもので、極めて優れた熱応答性が得られる。放熱部５，６は、ヒートパイプ８から熱を受け取り、吹出し部３，４を流れる空気と熱交換させて、冷却モジュールの外部に排熱させるためのものである。また、フレーム１の上面のファンモータ２の上部に対向する位置には、冷却モジュール内に空気を取り入れるための吸気孔９が開口形成される。なお、吹出し部３と吹出し部４の間のフレーム１のコーナー部10において放熱部５と放熱部６の放熱フィンの向きが略直交している。
【０００４】
そして、図１２の構成における冷却モジュールでは、ファンモータ２を回転させると、冷却モジュールの上部周辺にある空気が吸気孔９から取り込まれ、吹出し部３，４を通過する。一方、受熱部７が発熱体から受け取った熱は、熱応答性に優れたヒートパイプ８によって速やかに複数の放熱フィンから構成された放熱部５，６に伝わる。そして、この放熱部５，６の熱は、吹出し部３，４を通過するファンモータ２からの空気によって冷却され、フレーム１の略直交する二方向から冷却モジュールの外部へ放熱される。これにより、発熱体の温度上昇を抑制することができる。
【０００５】
つぎに、図１３〜図１５に示す冷却モジュールについて説明すると、これは図１２の冷却モジュールと同様に、ファンモータ２を保持するフレーム１が形成される。吹出し部３はフレーム１の一側にのみ連通して形成され、この吹出し部３には平板状の複数の放熱フィンからなる放熱部５が形成される。また、フレーム１の上面および下面のファンモータ２に対向する位置には、冷却モジュール内に空気を取り入れるための吸気孔９が開口形成される。
【０００６】
そしてこの場合は、ファンモータ２を回転させると、冷却モジュールの上部周辺と下部周辺にある空気がフレーム１の上面と下面に形成された吸気孔９から取り込まれ、吹出し部３を通過する。そして、放熱部５の熱は、吹出し部３を通過するファンモータ２からの空気により冷却され、冷却モジュールの外部へ放熱される。これにより、発熱体の温度上昇を抑制することができる。
【０００７】
図１６，図１７に、冷却モジュールの放熱部を構成する放熱フィンの積層構造の従来例を示す（特許文献２参照）。21は放熱フィンであり、本体部22の両端に相互に平行な折り曲げ辺部23，23’を有する断面コ字形に形成されている。そして、折り曲げ辺部23，23’には切り欠き部24，24’と、折り曲げ辺部23，23’から突出した係合部25，25’が形成され、係合部25，25’には内側に突出した爪部26，26’が形成されている。そして、切り欠き部24，24’に別の放熱フィン21の係合部25，25’の爪部26，26’が係合することにより、放熱フィン21の両端に別の放熱フィン21が順次固定された積層構造をなし、放熱フィン21の集合体としての放熱フィンユニット27が構成されている。積層された放熱フィン21の下面は、発熱体からの熱を伝える放熱ベース28に密着して接続し、放熱ベース28からの熱は放熱フィン21へ伝導し、ファンモータの風によってこの放熱フィン21に伝導した熱が外部へ放出されるようになっている。
【特許文献１】特開平８−１８１２６０号公報
【特許文献２】登実第３０７３１８４号公報
【発明の開示】
【発明が解決しようとする課題】
【０００８】
このように、図１２に示す従来の冷却モジュールでは、ファンモータ２からの送風によって放熱部５，６を強制冷却することで、ＭＰＵからなる発熱体の冷却を行なっている。しかし、フレーム１の略直交する二方向に連通して２つの吹出し部３，４が形成されており、吹出し部３と吹出し部４の間のフレーム１のコーナー部10において放熱部５と放熱部６の放熱フィンの向きが略直交していることに起因して、ファンモータ２からの風がフレーム１のコーナー部10近傍の放熱フィンに大きな角度であたって、騒音が大きくなったり、フレーム１のコーナー部10の圧損によりファンモータ２の排気風量が減少して満足な冷却性能が得られなかったりする、という問題を抱えていた。さらに、コーナー部10近傍において、図１２における放熱部５の右端の放熱フィンと放熱部６の下端の放熱フィンとが二面をなす略直方体の領域には放熱フィンを設けることができず、空間を有効に利用できないという問題があった。
【０００９】
また、図１３〜図１５に示す従来の冷却モジュールでは、限られた外形サイズの中で十分な放熱部５の放熱フィンの放熱面積を得ることができず、高発熱のＭＰＵを冷却する上で満足な冷却性能が得られないといった問題があった。
【００１０】
さらに、図１６，図１７に示す従来の放熱フィンの積層構造では、係合部25，25’に形成された内側に突出した爪部26，26’によって放熱フィンユニット27の底面が部分的に上方にくぼんでおり、放熱フィンユニット27の底面が完全に平坦となっていないため、放熱フィンユニット27と放熱ベース28との接触面積を十分にとることができず、放熱フィンユニット27と放熱ベース28との間の満足な伝熱特性が得られないといった問題があった。
【００１１】
そこで本発明は上記問題点に鑑み、空間を有効に利用して限られた外形サイズの中で十分な冷却性能が得られる冷却モジュールおよび放熱フィンの積層構造を提供することをその目的とする。
【課題を解決するための手段】
【００１２】
本発明の請求項１における冷却モジュールでは、少なくとも吹出し部の一部において放射状にフィンを配置したことで、ファンからの風が滞りなくスムーズに流れ、限られた外形サイズの中で十分な冷却性能が得られ、ファンからの風による騒音を低減することができる。
【００１３】
本発明の請求項２における冷却モジュールでは、フィンの少なくとも一部を曲部に形成したことで、限られた外形サイズの中でフィンの放熱面積を大きくでき、良好な冷却性能を得ることができる。
【００１４】
本発明の請求項３における放熱体の積層構造では、係合可能な係合手段を本体部に設けたことにより、辺部を平坦に形成して発熱体からの熱を伝える放熱ベースとの接触面積を十分にとることができ、限られた外形サイズの中で良好な伝熱特性を得ることができる。また、ガイド手段を辺部に設けたことにより、隣接するフィン同士を所定の位置関係に容易に保つことができる。
【発明の効果】
【００１５】
本発明の請求項１における冷却モジュールでは、ファンからの風が滞りなくスムーズに流れ、限られた外形サイズの中で十分な冷却性能が得られ、ファンからの風による騒音を低減することができる。
【００１６】
本発明の請求項２における冷却モジュールでは、限られた外形サイズの中でフィンの放熱面積を大きくでき、良好な冷却性能を得ることができる。
【００１７】
本発明の請求項３における放熱体の積層構造では、辺部を平坦に形成して発熱体からの熱を伝える放熱ベースとの接触面積を十分にとることができ、限られた外形サイズの中で良好な伝熱特性を得ることができる。また、隣接するフィン同士を所定の位置関係に容易に保つことができる。
【発明を実施するための最良の形態】
【００１８】
以下、本発明における好ましい実施例について、添付図面を参照しながら説明する。なお、各実施例において従来例と同一部分には同一符号を付す。
【実施例１】
【００１９】
図１は本発明の第１実施例を示すもので、フレーム１は、送風手段であるファンたるファンモータ２を回動自在に保持している。このフレーム１は、上面から見たときに略直交する２つの直線と、この２つの直線を円弧で結んだ略四半円形状に形成されており、この略四半円形状の円弧に相当する部分の側部を全開した吹出し部３が形成されている。そして、この吹出し部３の円弧の曲面形状に沿って、円弧上に略一定間隔で隙間なく配列した複数のフィンたる放熱フィン11から構成された放熱部５が設けられており、放熱フィン11の向きはファンモータ２からの空気の流れを妨げないように、ファンモータ２を中心として放射状に配列されている。
【００２０】
また、ノートパソコンのＭＰＵなどの発熱体（図示せず）に密着して受熱部７が取り付けられ、この受熱部７と放熱部５との間には、伝熱部材としてのヒートパイプ８が配設される。このヒートパイプ８は、熱伝導性に優れた銅などの管体内部に微小量の作動液を注入し、この作動液を管体内部で還流させるもので、極めて優れた熱応答性が得られる。また、ヒートパイプ８は、放熱部５の形状に合わせて円弧状に形成され、放熱部５の上部に接して設けられている。放熱部５は、ヒートパイプ８から熱を受け取り、吹出し部３を流れる空気と熱交換させて、冷却モジュールの外部に排熱させるためのものである。また、フレーム１の上面のファンモータ２の上部に対向する位置には、冷却モジュール内に空気を取り入れるための吸気孔９が開口形成される。
【００２１】
つぎに、作用について説明する。ファンモータ２を回転させると、冷却モジュールの上部周辺にある空気が吸気孔９から取り込まれ、吹出し部３を通過する。一方、受熱部７が発熱体から受け取った熱は、熱応答性に優れたヒートパイプ８によって速やかに複数の放熱フィンから構成された放熱部５に伝わる。そして、この放熱部５の熱は、吹出し部３を通過するファンモータ２からの空気によって冷却され、冷却モジュールの外部へ放熱される。これにより、発熱体の温度上昇を抑制することができる。なお、吹出し部３に円弧状に配列した複数の放熱フィン11の向きは、ファンモータ２からの空気の流れを妨げないようにファンモータ２を中心として放射状に配列されているので、ファンモータ２からの風が滞りなくスムーズに流れて良好な冷却性能が得られ、ファンモータ２からの風による騒音も低減される。
【００２２】
以上のように本実施例では、ファンモータ２を備え、このファンモータ２の送風側に放熱部５を備えた吹出し部３を設けるとともに、前記放熱部５は複数の放熱フィン11を積層配置して形成され、少なくとも前記吹出し部３の一部において前記ファンモータ２を中心とした放射状に前記放熱フィン11を配置している。
【００２３】
この場合、従来のフレームの略直交する二方向に連通して２つの吹出し部が形成された冷却モジュールにおいて見られたような、ファンモータからの風がフレームのコーナー部近傍の放熱フィンに大きな角度であたって、騒音が大きくなったり、フレームのコーナー部の圧損によりファンモータの排気風量が減少して満足な冷却性能が得られなかったりする問題が生ずることなく、ファンモータ２からの風が滞りなくスムーズに流れて風量性能と騒音性能を向上させることができる。さらに、フレームのコーナー部近傍においても放熱フィン11を設けることができ、空間を有効に利用してファンモータ２からの風を放射状に多方向に流すことで、満足な冷却性能を得ることができる。
【実施例２】
【００２４】
図２は本発明の第２実施例を示す。なお、上記第１実施例と共通の箇所には共通の符号を付し、共通する部分の説明は重複するため極力省略する。本実施例において、フレーム１は、上面から見たときに略平行な２つの直線と、この２つの直線の一端側を半円弧で滑らかに結び、他端側を前記２つの直線と略直交する直線で結んだ形状に形成されており、前記２つの直線と半円弧に相当する部分の側部を全開した吹出し部３が形成されている。そして、この吹出し部３の形状に沿って、円弧上に略一定間隔で隙間なく配列した複数の放熱フィン11から構成された放熱部５が設けられており、前記半円弧に相当する部分において、放熱フィン11の向きは、ファンモータ２からの空気の流れを妨げないように、ファンモータ２を中心として放射状に配列されている。
【００２５】
また、ヒートパイプ８は、放熱部５の形状に合わせて略平行な２つの直線と半円弧を滑らかに結んだ形状に形成され、放熱部５の上部に接して設けられている。また、フレーム１の上面のファンモータ２の上部に対向する位置には、冷却モジュール内に空気を取り入れるための吸気孔９が開口形成される。
【００２６】
つぎに、作用について説明する。ファンモータ２を回転させると、冷却モジュールの上部周辺にある空気が吸気孔９から取り込まれ、吹出し部３を通過する。一方、受熱部７が発熱体から受け取った熱は、熱応答性に優れたヒートパイプ８によって速やかに複数の放熱フィンから構成された放熱部５に伝わる。そして、この放熱部５の熱は、吹出し部３を通過するファンモータ２からの空気によって冷却され、冷却モジュールの外部へ放熱される。これにより、発熱体の温度上昇を抑制することができる。なお、吹出し部３に円弧状に配列した複数の放熱フィン11の向きは、半円弧に相当する部分においてファンモータ２からの空気の流れを妨げないようにファンモータ２を中心として放射状に配列されているので、ファンモータ２からの風が滞りなくスムーズに流れて良好な冷却性能が得られ、ファンモータ２からの風による騒音も低減される。
【００２７】
以上のように本実施例では、ファンモータ２を備え、このファンモータ２の送風側に放熱部５を備えた吹出し部３を設けるとともに、前記放熱部５は複数の放熱フィン11を積層配置して形成され、少なくとも前記吹出し部３の一部において前記ファンモータ２を中心とした放射状に前記放熱フィン11を配置している。
【００２８】
この場合、従来のフレームの略直交する二方向に連通して２つの吹出し部が形成された冷却モジュールにおいて見られたような、ファンモータからの風がフレームのコーナー部近傍の放熱フィンに大きな角度であたって、騒音が大きくなったり、フレームのコーナー部の圧損によりファンモータの排気風量が減少して満足な冷却性能が得られなかったりする問題が生ずることなく、ファンモータ２からの風が滞りなくスムーズに流れて風量性能と騒音性能を向上させることができる。さらに、ファンモータ２からの風を放射状に多方向に流すことで、満足な冷却性能を得ることができる。
【実施例３】
【００２９】
図３は本発明の第３実施例を示す。本実施例では、２つのファンモータ２，２’を備え、フレーム１は、２つのファンモータ２，２’の外周を滑らかに結ぶ曲線形状を備えている。そして、２つのファンモータ２，２’の外周を滑らかに結ぶ曲線形状に相当する部分の側部を全開した吹出し部３が形成されている。そして、この吹出し部３の形状に沿って、略一定間隔で隙間なく配列した複数の放熱フィン11から構成された放熱部５が設けられており、放熱フィン11の向きは、ファンモータ２，２からの空気の流れを妨げないように、ファンモータ２またはファンモータ２を中心として可能な限り放射状に配列されている。また、フレーム１の上面のファンモータ２，２’の上部に対向する位置には、冷却モジュール内に空気を取り入れるための吸気孔９，９’がそれぞれ開口形成される。
【００３０】
この場合、ファンモータ２，２’を回転させると、冷却モジュールの上部周辺にある空気が吸気孔９，９’から取り込まれ、吹出し部３を通過する。そして、放熱部５の熱は、吹出し部３を通過するファンモータ２，２’からの空気によって冷却され、冷却モジュールの外部へ放熱される。なお、吹出し部３に配列した複数の放熱フィン11の向きは、ファンモータ２またはファンモータ２を中心として可能な限り放射状に配列されているので、ファンモータ２，２’からの風が滞りなくスムーズに流れて良好な冷却性能が得られ、ファンモータ２，２’からの風による騒音も低減される。
【００３１】
以上のように本実施例では、ファンモータ２，２’を備え、このファンモータ２，２’の送風側に放熱部５を備えた吹出し部３を設けるとともに、前記放熱部５は複数の放熱フィン11を積層配置して形成され、少なくとも前記吹出し部３の一部において前記ファンモータ２，２’を中心とした放射状に前記放熱フィン11を配置している。
【００３２】
この場合、従来のフレームの略直交する二方向に連通して２つの吹出し部が形成された冷却モジュールにおいて見られたような、ファンモータからの風がフレームのコーナー部近傍の放熱フィンに大きな角度であたって、騒音が大きくなったり、フレームのコーナー部の圧損によりファンモータの排気風量が減少して満足な冷却性能が得られなかったりする問題が生ずることなく、ファンモータ２からの風が滞りなくスムーズに流れて風量性能と騒音性能を向上させることができる。さらに、ファンモータ２からの風を放射状に多方向に流すことで、満足な冷却性能を得ることができる。
【実施例４】
【００３３】
図４〜図８は本発明の第４実施例を示す。ヒートシンクをなす扁平状のフレーム１は、送風手段であるファンモータ２の外周を囲うように略四角形に形成されてファンモータ２を保持するとともに、フレーム１の略直交する二方向に連通して２つの吹出し部３，４が形成される。また、吹出し部３，４には、ファンモータ２からの空気の流れを極力妨げない方向に、複数の放熱フィン11，12からなる放熱フィンユニットとしての放熱部５，６がそれぞれ設けられている。また、ノートパソコンのＭＰＵなどの発熱体（図示せず）に密着して取り付けられた受熱部（図示せず）が放熱部５に接続しており、放熱部５と放熱部６との間には、発熱体の熱を放熱部６に素早く伝えるために、Ｌ字状に折り曲げ形成した伝熱部材としてのヒートパイプ８が３本配設される。このヒートパイプ８は、前述したように極めて優れた熱応答性が得られるが、発熱体からの熱を効率よく受け取るために、ファンモータ２からの空気の流れと直交して、吹出し部３，４の全幅を跨ぐように取り付けられている。このように、フレーム１，放熱部５，６，ヒートパイプ８はそれぞれ熱的に接続されている。
【００３４】
また、フレーム１の上面のファンモータ２の上部に対向する位置には、冷却モジュール内に空気を取り入れるための吸気孔９が開口形成される。なお、図示しないが、フレーム１の下面のファンモータ２の下部に対向する位置にも、冷却モジュール内に空気を取り入れるための吸気孔が開口形成される。また、冷却モジュールの上面は、フレーム１と放熱部５，６の上面を構成する薄板状のカバー13によって形成されている。なお、カバー13は、フレーム１，放熱部５，放熱部６に対応してそれぞれ別に形成してもよい。
【００３５】
放熱フィン11，12は、熱伝導性の高い材料で形成され、図５，図７に示すように、それぞれの放熱フィン11，12の一部が曲面に形成されている。そして、このように一部が曲面に形成された同形状の複数の放熱フィン11，12を略等間隔に積層して放熱部５，６が形成されている。なお、放熱フィン11，12の形状は、ファンモータ２の排気方向、すなわち放熱フィン11，12の長手方向の断面は圧損を生じさせないように可能な限り直線状に形成している。そして、排気方向と直交する方向、すなわち放熱フィン11，12の短手方向の中央部近傍を円弧状の曲面に形成している。このように放熱フィン11，12の一部を曲面に形成することで、曲面を形成しない同じサイズの放熱フィンと比較して表面積、すなわち放熱面積が大きくなり、図示した形状の場合には放熱面積が約１０％大きくなっている。
【００３６】
つぎに、作用について説明する。ファンモータ２を回転させると、冷却モジュールの上部周辺および下部周辺にある空気が、それぞれ吸気孔９および図示しないフレーム１下面の吸気孔から取り込まれ、吹出し部３，４を通過する。一方、発熱体からの熱は放熱部５に伝わり、つぎに、熱応答性に優れたヒートパイプ８によって速やかに放熱部６に伝わる。そして、この放熱部５，６の熱は、吹出し部３，４を通過するファンモータ２からの空気によって冷却され、冷却モジュールの外部へ放熱される。これにより、発熱体の温度上昇を抑制することができる。また、放熱フィン11，12の一部が曲面に形成されており、曲面を形成しない同じサイズの放熱フィンと比較して放熱面積が大きくなっているので、限られた外形サイズの中で良好な冷却性能を得ることができる。また、放熱フィン11，12の長手方向の断面を直線状に形成することにより、圧損が生じることなくファンモータ２からの空気をスムーズに排気することができる。
【００３７】
以上のように本実施例では、ファンモータ２を備え、このファンモータ２の送風側に放熱部５，６を備えた吹出し部３，４を設けるとともに、前記放熱部５，６は複数の放熱フィン11，12を積層配置して形成され、前記放熱フィン11，12の少なくとも一部を曲面に形成している。
【００３８】
この場合、曲面を形成しない同じサイズの放熱フィンと比較して放熱フィン11，12の放熱面積を大きくすることができるので、限られた放熱部５，６の外形サイズの中で良好な冷却性能を得ることができる。
【実施例５】
【００３９】
図９〜図１１は本発明の第５実施例を示す。同図において、21は放熱体たる放熱フィンであり、本体部22の両端に相互に平行な辺部たる折り曲げ辺部23，23’を有する断面コ字形に形成されている。折り曲げ辺部23，23’の略中央部には、本体部22の端部を一辺とした三角形状の切り欠き部29，29’が設けられ、折り曲げ辺部23，23’の切り欠き部29，29’が形成された部位から突出して平坦な三角形状のガイド部30，30’が設けられている。そして、切り欠き部29，29’に隣接する放熱フィン21のガイド部30，30’が嵌合して複数の放熱フィン21が積層されたときに、複数の折り曲げ辺部23，23’により形成される面31，31’が凹凸のない平面となるように構成されている。なお、ガイド部材30，30’と切り欠き部29，29’とでガイド手段が構成され、このガイド部材30，30’は隣接する別の放熱フィン21に嵌合して、隣接する別の放熱フィン21との位置合わせを行なうものであって、隣接する別の放熱フィン21と係合する作用は有しない。
【００４０】
一方、本体部22の略中央には切り欠き部32が設けられ、この切り欠き部32の下辺から略水平方向へ突出して係合部33が形成されている。なお、この係合部33は、図１１の点線で示すようにはじめは本体部22と面一に形成され、隣接する放熱フィン21と係合する際に図１１の実線で示すように簡単に略水平方向へ倒すことができるようになっている。また、この係合部33の先端はＴ字状に形成され、係合部33を倒した際に、隣接する放熱フィン21の切り欠き部32に形成された小凹部34にこの係合部33の先端が引っかかって、隣接する放熱フィン21同士が係合するようになっている。このようにして、係合部33と切り欠き部32とで係合手段が構成され、複数の放熱フィン21が順次固定された積層構造をなし、放熱フィン21の集合体としての放熱フィンユニット27が構成されている。積層された放熱フィン21の平坦な下面31’は、発熱体からの熱を伝える放熱ベース28に密着して接続し、放熱ベース28からの熱は放熱フィン21へ伝導し、図示しないファンモータの風によってこの放熱フィン21に伝導した熱が外部へ放出されるようになっている。
【００４１】
以上のように本実施例では、複数の放熱フィン21を積層配置して形成され、前記放熱フィン21は本体部22と、この本体部22の端部に略直角に接続して形成された折り曲げ辺部23，23’とを備え、隣接する放熱フィン21と係合可能な係合手段たる係合部33と切り欠き部32を前記本体部22に設け、隣接する別の放熱フィン21との位置合わせをするガイド手段たるガイド部30，30’と切り欠き部29，29’を前記折り曲げ辺部23，23’に設けている。
【００４２】
この場合、別の放熱フィン21と係合可能な係合部33と切り欠き部32を本体部22に設けたことにより、複数の折り曲げ辺部23，23’により形成される面31，31’を凹凸のない平坦な面に形成して発熱体からの熱を伝える放熱ベース28との接触面積を十分にとることができ、限られた外形サイズの中で良好な伝熱特性を得ることができる。また、隣接する別の放熱フィン21との位置合わせをするガイド部30，30’と切り欠き部29，29’を折り曲げ辺部23，23’に設けたことにより、隣接する放熱フィン21同士を所定の位置関係に容易に保つことができる。
【００４３】
なお、本発明は上記各実施例に限定されるものではなく、種々の変形実施が可能である。
【図面の簡単な説明】
【００４４】
【図１】第１実施例における冷却モジュールの斜視図である。
【図２】第２実施例における冷却モジュールの上面図である。
【図３】第３実施例における冷却モジュールの上面図である。
【図４】第４実施例における冷却モジュールの上面図である。
【図５】同上図４の上方から見た側面図である。
【図６】同上放熱部の拡大断面図である。
【図７】同上図４の左方から見た側面図である。
【図８】同上図４の右方から見た側面図である。
【図９】第５実施例における放熱フィンの積層構造の斜視図である。
【図１０】同上拡大断面図である。
【図１１】同上放熱フィンの正面図である。
【図１２】従来の冷却モジュールの上面図である。
【図１３】従来の別の冷却モジュールの上面図である。
【図１４】同上図１３の上方から見た側面図である。
【図１５】同上図１３の左方から見た側面図である。
【図１６】従来の放熱フィンの積層構造の斜視図である。
【図１７】同上拡大断面図である。
【符号の説明】
【００４５】
２  ファンモータ（ファン）
３，４  吹出し部
５，６  放熱部
11，12  放熱フィン（フィン）
21  放熱フィン（放熱体）
22  本体部
23，23’  折り曲げ辺部（辺部）
29，29’  切り欠き部（ガイド手段）
30，30’  ガイド部（ガイド手段）
32  切り欠き部（係合手段）
33  係合部（係合手段）
【図１】
2005051127.tif 000003
【図２】
2005051127.tif 000004
【図３】
2005051127.tif 000005
【図４】
2005051127.tif 000006
【図５】
2005051127.tif 000007
【図６】
2005051127.tif 000008
【図７】
2005051127.tif 000009
【図８】
2005051127.tif 000010
【図９】
2005051127.tif 000011
【図１０】
2005051127.tif 000012
【図１１】
2005051127.tif 000013
【図１２】
2005051127.tif 000014
【図１３】
2005051127.tif 000015
【図１４】
2005051127.tif 000016
【図１５】
2005051127.tif 000017
【図１６】
2005051127.tif 000018
【図１７】
2005051127.tif 000019